(57)【要約】【課題】  床先行で構築しても必要に応じて自由に間仕切壁を変えることができるとともに、間仕切壁で区切った隣室同士の物音が全く聞こえない床構造およびその構築方法を提供することである。【解決手段】  床構造１は、コンクリートスラブ３の上面に多数の不陸調整材４が設置され、該不陸調整材４の上に熱可塑性発泡樹脂からなる多数の床下地材５が密接状に敷き詰められ、該床下地材５とコンクリートスラブ３との間が扁平に変形した不陸調整材４で密実となっており、該床下地材５の上面に張り込んだ仕上材６の任意箇所に間仕切壁７が設けられる。【選択図】図１
2005350913.tif 000002
【特許請求の範囲】
【請求項１】
コンクリートスラブの上面に多数の不陸調整材が設置され、該不陸調整材の上に熱可塑性発泡樹脂からなる多数の床下地材が密接状に敷き詰められ、該床下地材とコンクリートスラブとの間が扁平に変形した不陸調整材で密実になっており、該床下地材の上面に張り込んだ仕上材の任意箇所に間仕切壁が設けられたことを特徴とする床構造。
【請求項２】
コンクリートスラブの上面には増打層を介して不陸調整材が設置されたことを特徴とする請求項１に記載の床構造。
【請求項３】
不陸調整材の下部が増打層に埋没したことを特徴とする請求項２に記載の床構造。
【請求項４】
コンクリートスラブの上面に多数の不陸調整材を設置し、該不陸調整材の上に密接状に設置した床下地材を下側に押し込んで不陸調整をし、この不陸調整によって不陸調整材を扁平に変形させてコンクリートスラブとの間を密実にした後、この先行して形成した床下地材の上面に張り込んだ仕上材の任意箇所に間仕切壁を設けることを特徴とする床構造の構築方法。
【請求項５】
コンクリートスラブ上面の適宜範囲に増打層を形成し、該増打層が乾燥する前にその上に多数の不陸調整材を設置し、該不陸調整材の上に設置した床下地材を下側に押し込んで不陸調整をし、この不陸調整によって不陸調整材を扁平に変形させてコンクリートスラブとの間を密実にした後、この工程を順次繰り返して多数の床下地材を密接状に敷き詰め、該床下地材の上面に張り込んだ仕上材の任意箇所に間仕切壁を設けることを特徴とする床構造の構築方法。
【発明の詳細な説明】
【技術分野】
【０００１】
本発明は床構造およびその構築方法に関するものである。
【背景技術】
【０００２】
従来の集合住宅の各住戸における床構造として、いわゆる二重床が構築されている。この一住戸における二重床構造２１において間仕切りをする場合は、図１１に示すように、間仕切壁２２を先に作った後、床下地材２３を連続的に敷き詰めて二重床を構築していた。しかし、この床構造２１は家族構成などに応じて間仕切壁２２を自由に変えることができなかった。そこで、上記のように壁先行ではなく、床を先に構築してから間仕切壁２２を作る方法が考えられる。また、その他の床構造としては、例えば特開２００４−４４０９３号公報の発明がある。
【特許文献１】特開２００４−４４０９３号公報
【発明の開示】
【発明が解決しようとする課題】
【０００３】
しかし、上記の床構造２１を床先行で構築すると、間仕切壁２２を作る箇所の床下地材２３を予め補強する必要があるため、間仕切壁２２を何の制限もなく自由に変えることはできなかった。さらに、上記の床構造２１は、床下地材２３の下部に大きな空間２４が形成されているため、この空間２４を通して間仕切壁２２で区切られた隣室２５同士の物音が聞こえてしまうという問題があった。
【０００４】
本発明はこれらの問題に鑑みてなされたものであり、その目的は、床を先に構築しても間仕切壁を必要に応じて自由に変えることができるとともに、間仕切壁で区切った隣室同士の物音が全く聞こえない床構造およびその構築方法を提供することである。
【課題を解決するための手段】
【０００５】
以上の課題を解決するための床構造は、コンクリートスラブの上面に多数の不陸調整材が設置され、該不陸調整材の上に熱可塑性発泡樹脂からなる多数の床下地材が密接状に敷き詰められ、該床下地材とコンクリートスラブとの間が扁平に変形した不陸調整材で密実になっており、該床下地材の上面に張り込んだ仕上材の任意箇所に間仕切壁が設けられたことを特徴とする。またコンクリートスラブの上面には増打層を介して不陸調整材が設置されたことを含む。また不陸調整材の下部が増打層に埋没したことを含むものである。
【０００６】
また床構造の構築方法は、コンクリートスラブの上面に不陸調整材を多数設置し、該不陸調整材の上に密接に設置した床下地材を下側に押し込んで不陸調整をし、この不陸調整によって不陸調整材を扁平に変形させてコンクリートスラブとの間を密実にした後、この先行して形成した床下地材の上面に張り込んだ仕上材の任意箇所に間仕切壁を設けることを特徴とする。
【０００７】
また床構造の構築方法は、コンクリートスラブ上面の適宜範囲に増打層を形成し、該増打層が乾燥する前にその上に多数の不陸調整材を設置し、該不陸調整材の上に設置した床下地材を下側に押し込んで不陸調整をし、この不陸調整によって不陸調整材を扁平に変形させてコンクリートスラブとの間を密実にした後、この工程を順次繰り返して多数の床下地材を密接に敷き詰め、該床下地材の上面に張り込んだ仕上材の任意箇所に間仕切壁を設けることを特徴とする。
【発明の効果】
【０００８】
多数の不陸調整材を介して密接状に敷き詰められた床下地材を設置したことにより、重量床衝撃音の振動エネルギーを効果的に吸収することができる。また床下地材の下部が扁平に変形した不陸調整材で密実になったので、間仕切壁で区切られた隣室同士の物音を完全に遮断することができる。また床下地材の下部が扁平に変形した不陸調整材で密実になったので、間仕切壁を等分布荷重で受けることができ、床先行であっても間仕切壁を家族構成などに応じて自由に変えることができる。また不陸調整材の下に設けた増打層によりスラブ厚が大きくなったため、重量床衝撃音および軽量床衝撃音の振動エネルギーを効果的に吸収することができるとともに、いわゆる太鼓現象という、共振現象を防ぐこともできる。また不陸調整材の下部が増打層に埋没したことにより、コンクリートスラブとの一体化が容易になるとともに、不陸調整も簡単にできる。また床先行により、間仕切のフリープランの採用が可能となる。また流動性を有する増打層と不陸調整材とを介して床下地材を設置したことにより、レベル調整を簡単かつ精度良く行うことができる。
【発明を実施するための最良の形態】
【０００９】
以下、本発明の床構造およびその構築方法の実施の形態を図面に基づいて説明する。また各実施の形態において同じ構成は同じ符号を付して説明し、異なった構成にのみ異なった符号を付して説明する。
【００１０】
図１は、第１の実施の形態の床構造１である。この床構造１は、集合住宅の各住戸（一住戸）２におけるものであり、コンクリートスラブ３の上面に設置された不陸調整材４の上に床下地材５が密接して敷き詰められ、該床下地材５の上面に張られた仕上材６の上に間仕切壁７が建て込みされて構成されている。
【００１１】
この床下地材５は熱可塑性発泡樹脂複合体であり、ポリスチレン系樹脂やポリオレフィン系樹脂、ウレタン樹脂などの発泡樹脂からなる下部材８と、この下部材８の上面に設置された硬質熱可塑性発泡樹脂の桟木９とから構成され、この桟木９に仕上材６が釘打ちなどで張りつめられている。
【００１２】
また不陸調整材４はモルタルであり、適宜間隔ごとに多数設置された団子状のものが床下地材５で扁平に押し潰されて、コンクリートスラブ３との間を密実にしている。したがって、床下地材５が間仕切壁７を等分布加重で受けるため、この間仕切壁７を任意箇所に建て込むことができるとともに、間仕切壁７を建て込んだ後であっても、必要に応じて何の制限も受けずに自由に変えることができる。
【００１３】
また図２は、第２の実施の形態の床構造１０である。この床構造１０は、仕上材６の下側にパーティクルボードなどの捨張材１１を設けたものであり、これ以外は第１の実施の形態の床構造１と同じ構成である。このように仕上材６の下側に捨張材１１を設けると、間仕切壁７を支える下地を強化できるとともに、仕上材６を張る前に、床下地材５をその他の内装工事の足場として使用することができるため、作業の効率化を図ることができる。
【００１４】
また図３は、第３の実施の形態の床構造１２である。この床構造１２は、捨張材１１を床下地材５に一体形成したものであり、これ以外は第１の実施の形態の床構造１と同じ構成である。これは熱可塑性発泡樹脂複合体である下部材８の上面に、桟木９に代わるパーティクルボードなどの捨張材１１を一体に形成したものである。このように捨張材１１を床下地材５に一体形成すると、仕上材６を張る前に、床下地材５をその他の内装工事の足場として使用することができるようになる。
【００１５】
また図４〜図６は、上記の第１の実施の形態の床構造１における床下地材５に、空隙部１３または中空部１４を設けたものであり、この中空部１４は空隙部１３を底板１５で塞いで形成したものである。また図６は、床下地材５に平面格子状の中空部１６が形成された床構造１である。このように空隙部１３または中空部１４、１６を形成すると、床の軽量床衝撃音の振動エネルギーを吸収することができるので、床の遮音性を高めることができる。
【００１６】
この底板１５はエラスチックな独立気泡の熱可塑性発泡樹脂からなり、この熱可塑性発泡樹脂としては、高密度ポリエチレン、線状低密度ポリエチレン、ポリプロピレン、プロピレン・エチレン共重合体、スチレン・ポリエチレン共重合体などからなる密度が８〜４０ｇ／ｌの発泡形成体が使用される。
【００１７】
この空隙部１３または中空部１４、１６を設ける構成は、第２および第３の実施の形態の床構造１０、１２における床下地材５にも適用することができ、図７は第３の実施の形態の床構造１２における床下地材５に中空部１４、１６を設けたものであり、この中空部１４、１６は、上記と同じように空隙部１３を底板１５で塞いで形成したものである。このように捨張材１１を床下地材５に一体形成すると、仕上材６を張る前に、床下地材５をその他の内装工事の足場として使用することができ、また中空部１４、１６により、床の軽量床衝撃音の振動エネルギーを吸収することができるので、床の遮音性を高めることができる。
【００１８】
また図８は、第４の実施の形態の床構造１７である。この床構造１７は、コンクリートスラブ３の上面に、モルタルなどで適宜厚さの増打層１８が形成され、この上に不陸調整材４が設置されたものであり、これ以外は上記の第１の実施の形態の床構造１と同じ構成である。この増打層１８に扁平な不陸調整材４の下部が埋没されて一体となり、この埋没によってレベル調整および不陸調整が行われている。また増打層１８と不陸調整材４とが一体となってスラブ厚を形成することにより、重量床衝撃音および軽量床衝撃音の影響を少なくすることができる。
【００１９】
なお、このコンクリートスラブ３の上面に適宜厚さの増打層１８を形成する構成は、上記の第２〜第４の実施の形態の床構造１０、１２、１７、および図４〜図７の床構造１にも適用することができる。
【００２０】
次に、床構造の構築方法について説明する。図９は、第１の実施の形態の床構造の構築方法である。はじめに、図９の（１）に示すように、コンクリートスラブ３の上面にモルタルで団子状の不陸調整材４を多数設置し、この上に床下地材５を設置する。次に、部屋内周に設置した際根太１９の上面を基準線として、床下地材５を下側に押し込むと、不陸調整材４が扁平に押し潰されてコンクリートスラブ３との間を密実にするとともに、不陸調整材４の下部が増打層３に埋没して一体となる。このような方法によって１列目の床下地材５を設置する。
【００２１】
次に、１列目の床下地材５を設置した後に、同図の（２）に示すように、２列目の床下地材を設置する箇所に不陸調整材４を設置する。そして、上記と同じ方法で床下地材５を設置するとともに、この工程を順次繰り返すことによって、コンクリートスラブ３の全面に床下地材５を密接に敷き詰める。次に、図１に示すように、この床下地材５の上に仕上材６を張り込み、この仕上材６の任意箇所に間仕切壁７を建て込んで床構造１を構築する。
【００２２】
なお、床下地材５は１列ずつ設置したが、これに限らず、２列または３列などの複数列ずつ設置することができる。さらに床下地材５を列単位ではなく、１個ずつ設置することもできる。
【００２３】
また、図１０は第２の実施の形態の床構造の構築方法である。はじめに、図７の（１）に示すように、コンクリートスラブ３の上面にプライマーなどの接着剤を塗布した後、この上に適宜厚さのモルタルを塗って増打層１８を形成する。この増打層１８は、例えば１列目の床下地材５を設置する箇所にのみ形成する。
【００２４】
次に、この増打層１８が乾燥する前に、この上にモルタルで団子状の不陸調整材４を多数設置し、この上に床下地材５を設置する。そして、部屋内周に設置した際根太１９の上面を基準線として、床下地材５を下側に押し込むと、不陸調整材４が扁平に押し潰されてコンクリートスラブ３との間を密実にするとともに、不陸調整材４の下部が増打層１８に埋没して一体となる。
【００２５】
次に、１列目の床下地材５を設置した後、２列目の床下地材を設置する箇所にモルタルを塗って、２列目の増打層１８を形成する。次に、上記と同じ方法で床下地材５を設置するとともに、この工程を順次繰り返すことによって、コンクリートスラブ３の全面に床下地材５を密接に敷き詰める。次に、図８に示すように、この床下地材５の上に仕上材６を張り込み、この仕上材６の任意箇所に間仕切壁７を建て込んで床構造１７を構築する。
【００２６】
なお、床下地材５は１列ずつ設置したが、これに限らず、２列または３列などの複数列ずつ設置することもできるとともに、増打層１８も複数列の範囲に形成することができる。さらに、床下地材５を列単位ではなく、１個ずつ設置することもでき、１個ずつ設置する箇所に増打層１８を形成することもできる。
【００２７】
この工程を順次繰り返すことにより、床下地材５を簡単に敷き詰めることができるとともに、不陸およびレベルの調整も簡単にできるので、床構造１７を簡単に構築することができる。
【図面の簡単な説明】
【００２８】
【図１】（１）は第１の実施の形態の床構造の断面図、（２）は同一部切欠平面図である。
【図２】第２の実施の形態の床構造の断面図である。
【図３】第３の実施の形態の床構造の断面図である。
【図４】床下地材に空隙部を設けた第１の実施の形態の床構造の断面図である。
【図５】床下地材に中空部を設けた第１の実施の形態の床構造の断面図である。
【図６】床下地材に格子状の中空部を設けた第１の実施の形態の床構造の断面図である。
【図７】（１）および（２）は中空部を設けた第３の実施の形態の床構造の断面図である。
【図８】（１）は第４の実施の形態の床構造の断面図、（２）は増打層の断面図である。
【図９】（１）および（２）は第１の実施の形態の床構造の構築方法の平面図である。
【図１０】（１）および（２）は第２の実施の形態の床構造の構築方法の平面図である。
【図１１】従来の床構造の構築方法の断面図である。
【符号の説明】
【００２９】
１、１０、１２、１７、２１  床構造
２、２５  住戸
３  コンクリートスラブ
４  不陸調整材
５、２３  床下地材
６  仕上材
７  間仕切壁
８  下部材
９  桟木
１１  捨張材
１３  空隙部
１４、１６  中空部
１５  底板
１８  増打層
１９  際根太
２２  間仕切壁
２４  空間
【図１】
2005350913.tif 000003
【図２】
2005350913.tif 000004
【図３】
2005350913.tif 000005
【図４】
2005350913.tif 000006
【図５】
2005350913.tif 000007
【図６】
2005350913.tif 000008
【図７】
2005350913.tif 000009
【図８】
2005350913.tif 000010
【図９】
2005350913.tif 000011
【図１０】
2005350913.tif 000012
【図１１】
2005350913.tif 000013